【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
複数種類の図柄を表示した複数のリールと、
役の抽選を行う役抽選手段と、
前記リールの回転開始命令を受けたときに前記リールを回転させるとともに、遊技者によりストップスイッチが操作されたときに、そのストップスイッチに対応する前記リールを前記役抽選手段による役の抽選結果に対応する位置で停止制御するリール制御手段と
を備え、
前記役抽選手段で特定役に当選し、前記特定役に対応する図柄の組合せが有効ラインに停止したときは、特定遊技に移行させるとともに、前記特定遊技の終了条件を満たすまで前記特定遊技を実行し、
前記リール制御手段は、前記特定遊技では、少なくとも一つの前記リールについて、前記特定遊技以外の遊技のときよりも、前記ストップスイッチが操作されたときから前記リールが停止するまでの最大移動図柄数が少なくなるように前記リールを停止制御し、
前記役抽選手段は、前記特定遊技では、少なくとも一つのリプレイの当選を含む一つの抽選結果となる場合を有するように役の抽選を行い、
前記リール制御手段は、前記特定遊技では、
前記役抽選手段の抽選結果にかかわらず、前記リールの停止制御の範囲内において、いずれかの小役（小役≠リプレイ）に対応する図柄の組合せを有効ラインに停止させるとともに、
前記役抽選手段で前記一つの抽選結果となったときは、特定停止態様で小役に対応する図柄の組合せを有効ラインに停止させ、
前記役抽選手段で前記一つの抽選結果と異なる他の一つの抽選結果となったときは、前記特定停止態様で小役に対応する図柄の組合せを有効ラインに停止可能に前記ストップスイッチが操作されたときであっても、前記特定停止態様と異なる他の特定停止態様で小役に対応する図柄の組合せを有効ラインに停止させる
ことを特徴とするスロットマシン。
【請求項２】
請求項１に記載のスロットマシンにおいて、
前記リール制御手段は、前記特定遊技では、
前記役抽選手段で前記一つの抽選結果となった場合において、所定の操作で前記ストップスイッチが操作されたときは、遊技媒体の払出し数が所定数となる停止態様で小役に対応する図柄の組合せを有効ラインに停止させ、前記所定の操作と異なる他の所定の操作で前記ストップスイッチが操作されたときは、遊技媒体の払出し数が前記所定数以外となる停止態様で小役に対応する図柄の組合せを有効ラインに停止させ、
前記役抽選手段で前記他の一つの抽選結果となった場合において、前記所定の操作で前記ストップスイッチが操作されたときは、遊技媒体の払出し数が前記所定数以外となる停止態様で小役に対応する図柄の組合せを有効ラインに停止させる
ことを特徴とするスロットマシン。
【手続補正２】
【補正対象書類名】明細書
【補正対象項目名】０００９
【補正方法】変更
【補正の内容】
【０００９】
本発明は、以下の解決手段によって上述の課題を解決する。なお、かっこ書きで、対応する実施形態の一例を示す。
請求項１の発明は、
複数種類の図柄を表示した複数のリール（３１）と、
役の抽選を行う役抽選手段（６１）と、
前記リールの回転開始命令を受けたとき（遊技者によりスタートスイッチ４１が操作されたとき）に前記リールを回転させるとともに、遊技者によりストップスイッチ（４２）が操作されたときに、そのストップスイッチに対応する前記リールを前記役抽選手段による役の抽選結果に対応する位置で停止制御するリール制御手段（６４）と
を備え、
前記役抽選手段で特定役（２ＢＢ）に当選し、前記特定役に対応する図柄の組合せが有効ラインに停止したときは、特定遊技（２ＢＢ遊技）に移行させるとともに、前記特定遊技の終了条件を満たす（特定遊技における遊技媒体の払出し数が２１０枚に到達する）まで前記特定遊技を実行し、
前記リール制御手段は、前記特定遊技では、少なくとも一つの前記リール（左リール３１）について、前記特定遊技以外の遊技のときよりも、前記ストップスイッチが操作されたときから前記リールが停止するまでの最大移動図柄数が少なくなるように（最大移動図柄数が１図柄となるように）前記リールを停止制御し、
前記役抽選手段は、前記特定遊技では、少なくとも一つのリプレイの当選を含む一つの抽選結果（たとえば第１実施形態において、ＲＴ２遊技又はＲＴ３遊技から２ＢＢ遊技に移行したときは、「リプレイ１＋リプレイ２」の当選）となる場合を有するように役の抽選を行い、
前記リール制御手段は、前記特定遊技では、
前記役抽選手段の抽選結果にかかわらず、前記リールの停止制御の範囲内において、いずれかの小役（小役≠リプレイ）（たとえば第１実施形態では、小役１又は小役２）に対応する図柄の組合せを有効ラインに停止させるとともに、
前記役抽選手段で前記一つの抽選結果となったときは、特定停止態様で小役に対応する図柄の組合せを有効ラインに停止させ（たとえば第１実施形態において、２ＢＢ遊技中の「リプレイ１＋リプレイ２」の当選時に、中ストップスイッチ４２を第一停止としたときは、中リール３１の停止時に中段に「ベル」を停止させる）、
前記役抽選手段で前記一つの抽選結果と異なる他の一つの抽選結果（たとえば第１実施形態において、２ＢＢ遊技中の役の非当選時）となったときは、前記特定停止態様で小役に対応する図柄の組合せを有効ラインに停止可能に前記ストップスイッチが操作されたときであっても、前記特定停止態様と異なる他の特定停止態様で小役に対応する図柄の組合せを有効ラインに停止させる（中ストップスイッチ４２を第一停止としたときは、中リール３１の停止時に上段又は下段に「ベル」を停止させる）
ことを特徴とする。
【手続補正３】
【補正対象書類名】明細書
【補正対象項目名】００１０
【補正方法】変更
【補正の内容】
【００１０】
請求項２の発明は、請求項１に記載のスロットマシンにおいて、
前記リール制御手段は、前記特定遊技では、
前記役抽選手段で前記一つの抽選結果となった場合において、所定の操作（中ストップスイッチ４２の第一停止）で前記ストップスイッチが操作されたときは、遊技媒体の払出し数が所定数（１２枚）となる停止態様（中リール３１の停止時に中段に「ベル」停止）で小役に対応する図柄の組合せを有効ラインに停止させ、前記所定の操作と異なる他の所定の操作（左ストップスイッチ４２の第一停止）で前記ストップスイッチが操作されたときは、遊技媒体の払出し数が前記所定数以外（４枚）となる停止態様（左リール３１の停止時に上段又は下段に「チェリー」停止）で小役に対応する図柄の組合せを有効ラインに停止させ、
前記役抽選手段で前記他の一つの抽選結果となった場合において、前記所定の操作で前記ストップスイッチが操作されたときは、遊技媒体の払出し数が前記所定数以外（４枚）となる停止態様（中リール３１の停止時に上段又は下段に「ベル」停止）で小役に対応する図柄の組合せを有効ラインに停止させる
ことを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
（作用）
本発明においては、特定遊技でないときに、特定役の抽選が行われ、この特定役に当選し、特定役が入賞したときは、特定遊技が実行される。
【手続補正８】
【補正対象書類名】明細書
【補正対象項目名】００１５
【補正方法】変更
【補正の内容】
【００１５】
また、特定遊技では、役の抽選結果にかかわらず小役の図柄の組合せが有効ラインに停止する。
そして、役抽選手段で一つの抽選結果となったときは、特定停止態様で小役に対応する図柄の組合せが有効ラインに停止するが、他の一つの抽選結果となったときは、特定停止態様と異なる他の特定停止態様で小役に対応する図柄の組合せが有効ラインに停止する。
【手続補正９】
【補正対象書類名】明細書
【補正対象項目名】００１６
【補正方法】変更
【補正の内容】
【００１６】
本発明によれば、小役の図柄の組合せが停止する特定遊技で、役の抽選結果に応じて、小役の図柄の組合せの停止態様を異ならせることができるので、停止出目に変化を与えることができる。
さらに、請求項２の発明によれば、役の抽選結果とストップスイッチの操作とに応じて、遊技媒体の払出し数に変化を与えることができる。